(57)【要約】【課題】ヘッドレストの後方突出部を補強する機能を有するとともに、ヘッドレストのカバー内にその挿入孔から容易に挿入することができるヘッドレスト用インサート及びヘッドレストを提供する。【解決手段】ヘッドレスト用インサート２１を、２本の脚部２２ａ，２２ｂを有するとともに開ループ状に形成されたステー２２から構成する。ステー２２の両脚部２２ａ，２２ｂ間には、ヘッドレスト２３のカバー２４内に挿入した際に、カバー２４内の前方側に延長配置される前方張出部２２ｃと、カバー２４内の後方側に延長配置される後方張出部２２ｄとを形成する。【選択図】　　　図４
2004057503.tif 000002
【特許請求の範囲】
【請求項１】
２本の脚部と、それらの脚部間を連結する連結部とを連続して有するステーからなり、前記連結部は、ヘッドレストのカバー内において、カバー内の前方側に延長配置される前方張出部と、カバー内の後方側に延長配置される後方張出部とを連続して設けたことを特徴とするヘッドレスト用インサート。
【請求項２】
前記前方張出部がステーの前方両側部に設けられ、後方張出部がステーの後方中央部に設けられていることを特徴とする請求項１に記載のヘッドレスト用インサート。
【請求項３】
全体として一筆書き状をなすことを特徴とした請求項１または請求項２に記載のヘッドレスト用インサート。
【請求項４】
前記ステーが１本の中空状の金属パイプまたは充実状の金属棒により一体に折曲形成されていることを特徴とする請求項１〜請求項３のいずれか一項に記載のヘッドレスト用インサート。
【請求項５】
請求項１〜請求項４のうちのいずれか一項に記載のヘッドレスト用インサートを備えたことを特徴とするヘッドレスト。
【発明の詳細な説明】
【０００１】
【発明の属する技術分野】
この発明は、例えば自動車の後部座席等に取り付けられるヘッドレストに関するものであって、特にヘッドレスト用のインサート、及びそのインサートを用いたヘッドレストに関するものである。
【０００２】
【従来の技術】
従来のこの種のヘッドレスト用インサート及びヘッドレストとしては、例えば特開平９−４８２７２号公報（第１従来構成）及び特開平９−２７６０７３号公報（第２従来構成）に開示されるような構成のものが知られている。
【０００３】
すなわち、第１従来構成においては、図１０及び図１１に示すように、インサート３１が中空状の金属パイプまたは充実状の金属棒を湾曲成形したステー３２から構成されている。このステー３２には、２本の脚部３２ａ，３２ｂ及びそれらの間の張出部３２ｃが形成されている。
【０００４】
そして、このインサート３１を用いてヘッドレスト３３を製造する場合には、まずインサート３１をヘッドレスト３３のカバー３４内に組み付ける。この場合には、図１１に示すように、インサート３１の一方の脚部３２ａを、カバー３４の裏面に形成された一対の挿入孔３４ａ，３４ｂのうちの一方の挿入孔３４ａから挿入して、他方の挿入孔３４ｂから外部に突出させる。これにより、インサート３１の張出部３２ｃをカバー３４内に収容配置するとともに、両脚部３２ａ，３２ｂを挿入孔３４ａ，３４ｂから外方へ突出させた組立体とする。
【０００５】
その後、前記組立体を図示しない成形型内に収容し、その状態で図示しない注入ノズルからカバー３４の下側（図１１では上側に表れている）の中央に形成された注入口３４ｃを介して、カバー３４内にポリウレタン等の発泡原料を注入する。そして、発泡原料がカバー３４内にて発泡及び膨張されて、前記成形型に従った形状の発泡体３５が形成されて、ヘッドレスト３３全体が所定の形状に成形される。
【０００６】
しかしながら、この第１従来構成においては、インサート３１の張出部３２ｃがヘッドレスト３３内の前方側に延長配置されているが、ヘッドレスト３３の後方突出部３３ａ内にはインサート３１が存在していない。このため、例えば、車両搭乗者がヘッドレスト３３の前後の底面を持って、ヘッドレスト３３の高さを調節する場合、後方突出部３３ａが変形して手が滑りやすく、高さの調節を容易に行うことができないという問題があった。
【０００７】
このような問題点に対処するため、第２従来構成のインサート３１が提案されている。すなわち、この第２従来構成においては、図１２及び図１３に示すように、インサート３１が、２本の脚部３２ａ，３２ｂ及び張出部３２ｃを有するステー３２と、そのステー３２とは別体で、そのステー３２に取り付けられる補強部材３６とから構成されている。
【０００８】
この補強部材３６は金属棒により平面形ほぼ横Ｕ字状に形成され、その両端にフック状の取付部３６ａが形成されている。そして、これらの取付部３６ａをステー３２の両脚部３２ａ，３２ｂの上端付近に形成された係合溝３２ｄに係合させることにより、補強部材３６がステー３２に対して張出部３２ｃの反対側に突出した状態で取り付けられるようになっている。
【０００９】
このような構成のインサート３１を用いてヘッドレスト３３を製造した場合には、図１２に示すように、ヘッドレスト３３の後方突出部３３ａ内に補強部材３６が延長配置される。このため、ヘッドレスト３３の高さを調節する場合、その後方突出部３３ａが変形することは少なく、高さの調節を容易に行うことができるようになる。
【００１０】
【発明が解決しようとする課題】
ところが、前記第２従来構成においては、ステー３２の両脚部３２ａ，３２ｂに補強部材３６が取り付けられて、インサート３１の上部が閉ループ状を呈している。このため、ステー３２に補強部材３６を取り付けた状態では、インサート３１をヘッドレスト３３のカバー３４内に挿入孔３４ａ，３４ｂを介して挿入することができない。よって、ステー３２及び補強部材３６を分離した状態で、カバー３４内に挿入孔３４ａ，３４ｂから別々に挿入し、それらをカバー３４内において手探りに近い状態で組み付ける必要があって、その作業が非常に面倒で手間がかかるという問題があった。
【００１１】
この発明は、このような従来の技術に存在する問題点に着目してなされたものである。その目的は、ヘッドレストの後方突出部を補強する機能を有するとともに、インサートをヘッドレストのカバー内にその挿入孔から容易に挿入することができ、しかも部品点数を少なくできるようにすることにある。
【００１２】
【課題を解決するための手段】
上記の目的を達成するために、請求項１に記載のヘッドレスト用インサートに係る発明は、２本の脚部と、それらの脚部間を連結する連結部とを連続して有するステーからなり、前記連結部は、ヘッドレストのカバー内において、カバー内の前方側に延長配置される前方張出部と、カバー内の後方側に延長配置される後方張出部とを連続して設けたことを特徴とするものである。
【００１３】
従って、この請求項１に記載の発明によれば、ヘッドレストの前方部のみでなく、後方突出部を補強する機能も有するとともに、インサートをその一端側からヘッドレストのカバーの挿入孔に容易に挿入することができる。また、前方張出部及び後方張出部のための専用部品が不要であって、部品点数が少なく、構成が簡単である。
【００１４】
請求項２に記載の発明は、請求項１に記載の発明において、前記前方張出部がステーの前方両側部に設けられ、後方張出部がステーの後方中央部に設けられていることを特徴とするものである。
【００１５】
従って、この請求項２に記載の発明によれば、前方張出部及び後方張出部により、ヘッドレストの前方部及び後方突出部を効果的に補強することができる。
請求項３に記載の発明は、請求項１または請求項２に記載の発明において、全体として一筆書き状をなすことを特徴としたものである。
【００１６】
従って、請求項３に記載の発明においては、１本の棒材によりインサートを構成でき、構造が簡単である。
請求項４に記載の発明は、請求項１〜請求項３のいずれか一項に記載の発明において、前記ステーが１本の中空状の金属パイプまたは充実状の金属棒により一体に折曲形成されていることを特徴とするものである。
【００１７】
従って、この請求項４に記載の発明によれば、ステーの両脚部、前方張出部及び後方張出部を、１本の金属パイプまたは金属棒により連続的に形成することができて、インサートの製造を簡略化することができる。
【００１８】
請求項５に記載のヘッドレストに係る発明は、前記請求項１〜請求項４のうちのいずれか一項に記載のヘッドレスト用インサートを備えたことを特徴とすることを特徴とするものである。
【００１９】
従って、この請求項５に記載の発明によれば、ヘッドレストのカバーに対するインサートの挿入組み付けを容易に行うことができて、ヘッドレストの製造コストを低減することができる。また、ヘッドレストの後方突出部を効果的に補強することができて、ヘッドレストの高さ調節を容易に行うことができる。
【００２０】
【発明の実施の形態】
（第１実施形態）
以下に、この発明の第１実施形態を、図１〜図６に基づいて説明する。
【００２１】
図１〜図３に示すように、この実施形態のヘッドレスト用インサート２１は、その全体が１本の中空状の金属パイプまたは充実状の金属棒により折曲形成され、全体として一筆書き状をなすステー２２から構成されている。ステー２２には上下方向へ平行に延びる２本の脚部２２ａ，２２ｂが設けられ、それらの脚部２２ａ，２２ｂ間には一対の前方張出部２２ｃ及び１つの後方張出部２２ｄが形成されている。これらの前方張出部２２ｃ及び後方張出部２２ｄにより連結部が構成されている。
【００２２】
前記両前方張出部２２ｃはステー２２の前方両側部において平面形ほぼ三角状に延びるように、両脚部２２ａ，２２ｂの上端に連続して折曲形成されている。また、後方張出部２２ｄはステー２２の後方中央部において平面形ほぼ三角状に延びるように、両前方張出部２２ｃの後部に連続して折曲形成されている。
【００２３】
図４に示すように、前記のような構成のインサート２１を用いてヘッドレスト２３を製造した場合には、インサート２１のステー２２の前方張出部２２ｃがカバー２４内の前方側に延長配置されるとともに、後方張出部２２ｄがカバー２４内の後方側に延長配置される。また、ステー２２の両脚部２２ａ，２２ｂがカバー２４外に突出配置される。この状態で、カバー２４内には発泡原料の注入及び発泡により、発泡体２５が充填形成される。
【００２４】
そして、このヘッドレスト２３が自動車の後部座席等に取り付けられた状態では、ヘッドレスト２３の後方突出部２３ａ内にステー２２の後方張出部２２ｄが延長配置されていることで、その後方突出部２３ａが補強される。このため、ヘッドレスト２３の前後底面を持って、ヘッドレスト２３の高さを調節する場合、後方突出部２３ａが変形するおそれはなく、高さの調節を容易に行うことができる。
【００２５】
次に、前記のような構成のヘッドレスト２３の製造方法について説明する。
さて、このヘッドレスト２３の製造時には、図５及び図６（ａ）に示すように、まずインサート２１をカバー２４内に挿入する。すなわち、カバー２４の裏面には一対の挿入孔２４ａ，２４ｂが所定間隔をおいて形成されるとともに、その挿入孔２４ａ，２４ｂ間には注入口２４ｃが形成されている。よって、図５に示すように、インサート２１の一方の脚部２２ａを、カバー２４の一方の挿入孔２４ａから挿入して、他方の挿入孔２４ｂから外部に突出させれば、図６（ｂ）に示すように、ステー２２の前後両張出部２２ｃ，２２ｄがカバー２４内に収容配置される。この場合、両脚部２２ａ間の前方張出部２２ｃ及び後方張出部２２ｄが連続している。このため、一方の挿入孔２４ａまたは２４ｂから一方の脚部２２ａまたは２２ｂを通せば、前方張出部２２ｃ及び後方張出部２２ｄがカバー２４内に収容されるとともに、前記の脚部２２ａまたは２２ｂが他方の挿入孔２４ｂまたは２２ａから外部に出る。そして、他方の脚部２２ｂまたは２２ａは前記一方の挿入孔２４ａまたは２４ｂから外部へ出る状態となる。
【００２６】
その後、ヘッドレスト２３を図示しない成形型内に収容し、その成形型の注入ノズルからカバー２４の注入口２４ｃを介して、カバー２４内にポリウレタン等の発泡原料を注入する。この状態で、図６（ｃ）に示すように、発泡原料をカバー２４内にて発泡させて発泡体２５を形成し、ヘッドレスト２３全体を成形型に従った所定の形状に成形する。この状態で、ヘッドレスト２３の前方部がインサート２１の前方張出部２２ｃにより補強されるとともに、ヘッドレスト２３の後方突出部２３ａがインサート２１の後方張出部２２ｄにより補強される。
【００２７】
なお、インサート２１を構成するステー２２は、１本の金属棒が所定の複数位置で折曲加工されて構成される。
従って、この実施形態によれば、以下のような効果を得ることができる。
【００２８】
（１）　このヘッドレスト用インサート２１においては、２本の脚部２２ａ，２２ｂを有するステー２２に、前方張出部２２ｃ及び後方張出部２２ｄが連続して一体に形成されている。このため、インサート２１をヘッドレスト２３のカバー２４内にその挿入孔２４ａ，２４ｂから容易に挿入することができるとともに、ヘッドレスト２３の成形状態でその前方部のみでなく、後方突出部２３ａを補強することもできる。
【００２９】
（２）　このヘッドレスト用インサート２１においては、前方張出部２２ｃがステー２２の前方両側部に設けられ、後方張出部２２ｄがステー２２の後方中央部に設けられている。このため、前方張出部２２ｃ及び後方張出部２２ｄにて、ヘッドレスト２３の前方部及び後方突出部２３ａを効果的に補強することができる。
【００３０】
（３）　このヘッドレスト用インサート２１においては、ステー２２が１本の中空状の金属パイプまたは充実状の金属棒により一体に、一筆書き状をなすように折曲形成されている。このため、ステー２２の両脚部２２ａ，２２ｂ、前方張出部２２ｃ及び後方張出部２２ｄを、１本の金属パイプまたは金属棒により連続的に形成することができて、部品点数が増えることなく、構成を簡単にしてインサート２１の製造を簡略化することができる。
【００３１】
（４）　このヘッドレスト２３においては、インサート２１が前記のように１本の金属棒により構成されたものであるため、カバー２４に対する装着が極めて容易である。従って、カバー２４に対するインサート２１の挿入組み付けを容易に行うことができて、ヘッドレスト２３の製造コストを低減することができる。また、ヘッドレスト２３の後方突出部２３ａが補強されているため、ヘッドレスト２３が座席に取り付けられた状態において、その高さ調節を容易に行うことができる。
【００３２】
（第２実施形態）
次に、この発明の第２実施形態を、前記第１実施形態と異なる部分を中心に説明する。なお、これ以降の各実施形態の説明においては、第１実施形態と異なる部分を中心に説明するが、各実施形態においても、ステー２２が１本の金属棒が折曲形成されて構成されたものである。
【００３３】
さて、この第２実施形態においては、図７に示すように、ステー２２の前方張出部２２ｃ及び後方張出部２２ｄの形状が前記第１実施形態の場合と相違している。すなわち、前方張出部２２ｃがステー２２の前方両側部において、平面形ほぼ四角状に延びるように折曲形成されている。また、後方張出部２２ｄがステー２２の後方中央部において、平面形ほぼ四角状に延びるように折曲形成されている。
【００３４】
従って、この第２実施形態においても、前記第１実施形態における（１）〜（４）に記載の効果と同様の効果を得ることができる。
（第３実施形態）
第３実施形態においては、図８に示すように、ステー２２の前方張出部２２ｃ及び後方張出部２２ｄの形状が前記第１実施形態の場合と相違している。すなわち、前方張出部２２ｃがステー２２の前方一側部において、平面形ほぼ四角状に延びるように折曲形成されている。また、後方張出部２２ｄがステー２２の後方他側部において、平面形ほぼ四角状に延びるように折曲形成されている。
【００３５】
従って、この第３実施形態においても、前記第１実施形態における（１）、（３）及び（４）に記載の効果と同様の効果を得ることができる。
（第４実施形態）
第４実施形態においては、図９に示すように、前方張出部２２ｃがステー２２の前方一側部において、平面形ほぼ三角状に延びるように折曲形成されている。また、後方張出部２２ｄがステー２２の後方他側部において、平面形ほぼ三角状に延びるように折曲形成されている。
【００３６】
従って、この第４実施形態においても、前記第１実施形態における（１）、（３）及び（４）に記載の効果と同様の効果を得ることができる。
（変更例）
なお、この実施形態は、次のように変更して具体化することも可能である。
【００３７】
・　前記各実施形態において、ステー２２を複数の部分に分割して形成し、それらの分割部分を溶接等により連結固定して、ステー２２を構成すること。例えば、図１及び図２に示すステー２２において、脚部２２ａ，２２ｂ、前方張出部２２ｃ、後方張出部２２ｄをそれぞれ別々に形成して、それらを互いに溶接固定すること。
【００３８】
・　前記各実施形態において、ステー２２の前方張出部２２ｃ及び後方張出部２２ｄの形状を任意に変更して構成すること。
【００３９】
【発明の効果】
以上詳述したように、この発明は、ヘッドレストの後方突出部を効果的に補強できるとともに、インサートをヘッドレストのカバー内にその挿入孔から容易に挿入することができ、しかも部品点数を少なくできて製造が容易になる効果を発揮する。
【図面の簡単な説明】
【図１】第１実施形態のヘッドレスト用インサートを示す斜視図。
【図２】図１のインサートの平面図。
【図３】図１のインサートの側面図。
【図４】図１のインサートを備えたヘッドレストの部分破断斜視図。
【図５】図４のヘッドレストのカバーに対するインサートの組付方法を示す斜視図。
【図６】（ａ）（ｂ）（ｃ）は、それぞれ図４のヘッドレストの製造方法を説明する断面図。
【図７】第２実施形態のヘッドレスト用インサートを示す平面図。
【図８】第３実施形態のヘッドレスト用インサートを示す平面図。
【図９】第４実施形態のヘッドレスト用インサートを示す平面図。
【図１０】従来のヘッドレストを示す部分破断斜視図。
【図１１】図１０のヘッドレストのカバーに対するインサートの組付方法を示す斜視図。
【図１２】従来のヘッドレストの別の構成を示す断面図。
【図１３】図１２のヘッドレストのインサートを拡大して示す斜視図。
【符号の説明】
２１…ヘッドレスト用インサート、２２…ステー、２２ａ，２２ｂ…脚部、２２ｃ…前方張出部、２２ｄ…後方張出部、２３…ヘッドレスト、２３ａ…後方突出部、２４…カバー、２４ａ，２４ｂ…挿入孔、２５…発泡体。
【図１】
2004057503.tif 000003
【図２】
2004057503.tif 000004
【図３】
2004057503.tif 000005
【図４】
2004057503.tif 000006
【図５】
2004057503.tif 000007
【図６】
2004057503.tif 000008
【図７】
2004057503.tif 000009
【図８】
2004057503.tif 000010
【図９】
2004057503.tif 000011
【図１０】
2004057503.tif 000012
【図１１】
2004057503.tif 000013
【図１２】
2004057503.tif 000014
【図１３】
2004057503.tif 000015